(57)【要約】【課題】バッテリを搭載する表示装置において、低消費電力を実現できる表示装置、及び表示方法を提供することを課題とする。【解決手段】実施形態における表示装置はバッテリと、切換部と、表示パネルと、バックライトと、表示制御部と、バックライト制御部と、を具備する。切換部は、前記バッテリによる動作と、外部電源による動作とを切り換える。表示パネルは入力した信号に基づいた映像を表示する。バックライトは前記表示パネルに対して発光を行う。表示制御部は、前記外部電源によって動作するとき前記表示パネルの全体に前記映像を表示させ、前記バッテリによって動作するとき前記表示パネルの一部の領域に前記映像を表示させる。バックライト制御部は前記表示パネルに表示させる前記映像に基づいて、前記表示パネルに前記映像が表示されている領域を照射するように前記バックライトの発行を制御する。【選択図】図５
2015038524.tif 000002
【特許請求の範囲】
【請求項１】
バッテリと、
前記バッテリによる動作と、外部電源による動作とを切り換える切換部と、
入力した信号に基づいた映像を表示する表示パネルと、
前記表示パネルに対して発光を行うバックライトと、
前記外部電源によって動作するとき前記表示パネルの全体に前記映像を表示させ、前記バッテリによって動作するとき前記表示パネルの一部の領域に前記映像を表示させる表示制御部と、
前記表示パネルに表示させる前記映像に基づいて、前記表示パネルに前記映像が表示されている領域を照射するように前記バックライトの発行を制御するバックライト制御部と、
を具備する表示装置。
【請求項２】
前記バックライトは複数の光源を有しており、
前記表示制御部は、前記表示パネル上の前記映像を表示させる前記一部の領域の位置を、前記複数の光源のうちの発光する光源の数が少なくなる位置となるように前記映像の表示領域の位置を制御する請求項１記載の表示装置。
【請求項３】
前記バックライトは、導光板と、前記導光板の端部付近に設けられた光源とを具備する請求項１記載の表示装置。
【請求項４】
前記バックライトは直下型のバックライトである請求項１記載の表示装置。
【請求項５】
前記バッテリの蓄電残量を検知する検知手段を更に具備し、
前記バックライト制御部は、前記バッテリの蓄電残量が所定量以下となるとき、前記バックライトの光量を減少させる請求項１記載の表示装置。
【請求項６】
前記バックライト制御部が前記バックライトの光量を減少させた後、操作指示を受けると、当該指示についての情報を音声にて出力する音声出力手段を更に具備する請求項５記載の表示装置。
【請求項７】
前記バッテリの蓄電残量を検知する検知手段を更に具備し、
前記表示制御部は、前記バッテリの蓄電残量が小さいときに、前記バッテリの蓄電残量が大きいときよりも前記表示パネルに表示させる前記映像を小さくする請求項１記載の表示装置。
【請求項８】
バッテリによる動作と、外部電源による動作とを切り換え、
外部電源によって動作するとき、表示パネルの全体に入力した信号に基づいた映像を表示し、
前記バッテリによって動作するとき前記表示パネルの一部の領域に前記入力した信号に基づいた映像を表示し、
前記表示パネルに表示させる前記映像に基づいて、前記表示パネルに前記映像が表示されている領域を照射するように前記バックライトを発行する表示方法。
【発明の詳細な説明】
【技術分野】
【０００１】
本発明の実施形態は表示装置、及び表示方法に関する。
【背景技術】
【０００２】
例えば液晶表示装置等のような表示装置において、外部の電源から供給される電力で動作するのみでなく、バッテリ（蓄電器）を搭載し、バッテリの電力によっても動作する表示装置が知られている。
【先行技術文献】
【特許文献】
【０００３】
【特許文献１】特開２００６−１６２８５４号公報
【発明の概要】
【発明が解決しようとする課題】
【０００４】
一般的に表示部の電力消費は表示装置全体の電力消費の中でも高い割合となっている。
【０００５】
本発明は上記に鑑みたものであり、バッテリを搭載する表示装置において、低消費電力を実現できる表示装置、及び表示方法を提供することを課題とする。
【課題を解決するための手段】
【０００６】
実施形態における表示装置はバッテリと、切換部と、表示パネルと、バックライトと、表示制御部と、バックライト制御部と、を具備する。切換部は、前記バッテリによる動作と、外部電源による動作とを切り換える。表示パネルは入力した信号に基づいた映像を表示する。バックライトは前記表示パネルに対して発光を行う。表示制御部は、前記外部電源によって動作するとき前記表示パネルの全体に前記映像を表示させ、前記バッテリによって動作するとき前記表示パネルの一部の領域に前記映像を表示させる。バックライト制御部は前記表示パネルに表示させる前記映像に基づいて、前記表示パネルに前記映像が表示されている領域を照射するように前記バックライトの発行を制御する。
【図面の簡単な説明】
【０００７】
【図１】実施形態におけるＤＴＶの内部構成の一例を示すブロック図。
【図２】実施形態におけるＤＴＶ電源供給機能にかかる構成の一例を示したブロック図。
【図３】実施形態におけるＤＴＶの実行する処理の一例を示したフロー図。
【図４】実施形態におけるＤＴＶのバックライトユニットを前面からみたときの構成の一例を示す概観図。
【図５】実施形態におけるＤＴＶの表示状態の一例を示す概念図
【図６】変形例におけるＤＴＶのバックライトユニットを前面からみたときの構成の一例を示す概観図。
【図７】変形例における一部領域への映像表示を行った時のＤＴＶの表示状態の一例を示す概念図。
【発明を実施するための形態】
【０００８】
実施形態を図面を参照しながら、以下で説明する。
【０００９】
まず、本実施形態における表示装置の一例であるＤＴＶ１のハードウェア構成について説明する。
【００１０】
図１は本実施形態におけるＤＴＶ１の内部構成の一例を示すブロック図である。
【００１１】
ＤＴＶ１（Digital Television）は受信した放送信号を表示部に表示することが出来る、本実施形態における表示装置の一例である。なお、本実施の形態では、表示装置をＤＴＶ１に搭載した場合について説明するが、これに限定されず、例えばPC（Personal Computer）等の他の表示装置にも適用することが可能である。
【００１２】
ＤＴＶ１は、装置各部の動作を制御する制御部１５６を備えている。制御部１５６は、ＣＰＵ１５９（Central Processing Unit）等を内蔵している。制御部１５６は、操作部１１６から入力される操作信号や、リモートコントローラ１１７から送信され受光部１１８を介して受信する操作信号に応じて、ＲＯＭ（Read Only Memory）１５７に予め記憶されたシステム制御プログラム及び各種処理プログラムを起動させる。制御部１５６は、ＲＡＭ（Random Access Memory）１５８をＣＰＵ１５９のワークメモリとして、起動したプログラムに従い、装置各部の動作を制御する。また制御部１５６は、各種設定に必要な情報等を例えばＮＡＮＤフラッシュメモリ等のような不揮発性のメモリであるフラッシュメモリ１６０に格納して使用する。
【００１３】
入力端子１４４は、ＢＳ／ＣＳデジタル放送受信用のアンテナ１４３が受信した衛星デジタルテレビジョン放送信号を衛星デジタル放送用のチューナ１４５に供給する。チューナ１４５は、受信したデジタル放送信号のチューニングを行い、チューニングしたデジタル放送信号をＰＳＫ（Phase Shift Keying）復調器１４６に送信する。ＰＳＫ復調器１４６は、ＴＳ（Transport Stream）の復調を行い、復調したＴＳをＴＳ復号器１４７ａに供給し、ＴＳ復号器１４７ａは、ＴＳをデジタル映像信信号、デジタル音声信号、およびデータ信号を含むデジタル信号に復号した後、信号処理部１００にこれを出力する。ここでのデジタル映像信号とはＤＴＶ１が出力可能な映像に関するデジタル信号であり、音声信号はＤＴＶ１が出力可能な音声に関するデジタル信号である。またデータ信号とは、復調したサービスについての各種情報を示すデジタル信号である。このサービスについての各種情報には、復調したサービスを識別するための情報（例えば、サービスＩＤ）等が含まれる。制御部１５６はこの情報を用いて、受信した放送波の周波数（チャンネル）とサービスとの対応を示すテーブルである受信可能周波数テーブル（サービスリスト）を作成し、このテーブルをフラッシュメモリ１６０に格納している。制御部１５６は、ユーザ所望の放送波をチューニングする際には、この受信可能周波数テーブルに基づいて処理を行う。受信可能周波数テーブルについては図２を用いて後述にて詳細に説明する。
【００１４】
入力端子１４９は、地上波デジタル放送受信用のアンテナ１４８が受信した地上波デジタルテレビジョン放送信号を地上波デジタル放送用のチューナ１５０に供給する。チューナ１５０は第１のチューナ１５０ａ及び第２のチューナ１５０ｂの二つのチューナを有している。チューナ１５０の第１のチューナ１５０ａ及び第２のチューナ１５０ｂは、それぞれ受信したデジタル放送信号のチューニングを行い、チューニングしたデジタル放送信号を２つ存在するＯＦＤＭ（Orthogonal Frequency Division Multiplexing）復調器１５１に送信する。ＯＦＤＭ復調器１５１は、ＴＳの復調を行い、復調したＴＳをそれぞれの対応するＴＳ復号器１４７ｂに供給し、ＴＳ復号器１４７ｂは、ＴＳをデジタル映像信号及び音声信号等に復号した後、信号処理部１００にこれを出力する。チューナ１５０の第１のチューナ１５０ａ及び第２のチューナ１５０ｂのそれぞれで取得した地上波デジタルテレビジョン放送は、２つのＯＦＤＭ復調器１５１、ＴＳ復号器１４７ｂによってそれぞれ同時にデジタル映像信号、音デジタル音声信号、及びデータ信号を含むデジタル信号として復号された後に、信号処理部１００に出力されることが可能である。
【００１５】
アンテナ１４８は、地上波アナログ放送信号も受信可能である。受信された地上波アナログ放送信号は、図示しない分配器によって分配されて、アナログチューナ１６８に供給される。アナログチューナ１６８は、受信したアナログ放送信号のチューニングを行い、チューニングしたアナログ放送信号をアナログ復調器１６９に送信する。アナログ復調器１６９はアナログ放送信号の復調を行い、復調したアナログ放送信号を信号処理部１００に出力する。また、ＤＴＶ１は、一例として、アンテナ１４８が接続される入力端子１４９にＣＡＴＶ（Common Antenna Television）用のチューナを接続することによってＣＡＴＶも視聴することができる。
【００１６】
信号処理部１００は、ＴＳ復号器１４７ａ、１４７ｂ、または制御部１５６から出力されたデジタル信号に、適切な信号処理を施す。より具体的には、信号処理部１００はデジタル信号を映像信号、デジタル音声信号、およびデータ信号に分離する。分離された映像信号はグラフィック処理部１５２に、音声信号は音声処理部１５３に出力される。また信号処理部１００は、アナログ復調器１６９から出力された放送信号を、所定のデジタルフォーマットの映像信号及び音声信号に変換する。デジタルに変換された映像信号はグラフィック処理部１５２に、音声信号は音声処理部１５３に出力される。また信号処理部１００は、ライン入力端子１３７からの入力信号にも所定のデジタル信号処理を施す。
【００１７】
ＯＳＤ（On Screen Display）信号生成部１５４は、制御部１５６の制御に従って、ＵＩ（ユーザ・インタフェース）画面などを表示するためのＯＳＤ信号を生成する。また信号処理部１００においてデジタル放送信号から分離されたデータ信号は、ＯＳＤ信号生成部１５４により適切なフォーマットのＯＳＤ信号に変換され、グラフィック処理部１５２に出力される。
【００１８】
グラフィック処理部１５２は、信号処理部１００から出力されるデジタルの映像信号のデコード処理を行う。デコードされた映像信号は、ＯＳＤ信号生成部１５４から出力されたＯＳＤ信号と重ね合わせて合成され、映像処理部１５５に出力される。グラフィック処理部１５２は、デコードされた映像信号またはＯＳＤ信号を、映像処理部１５５に選択的に出力することもできる。
【００１９】
映像処理部１５５は、グラフィック処理部１５２から出力された信号を、表示部１２０で表示可能なフォーマットのアナログ映像信号に変換する。アナログに変換された映像信号は、表示部１２０に表示される。
【００２０】
音声処理部１５３は、入力された音声信号を、スピーカ１１０で再生可能なフォーマットのアナログ音声信号に変換する。アナログに変換された音声信号は、スピーカ１１０に出力されて再生される。
【００２１】
ＬＡＮ端子１３１は、ＬＡＮＩ／Ｆ１６４を介して制御部１５６に接続されている。ＬＡＮ端子１３１は、イーサネット（登録商標）を用いた一般的なＬＡＮ対応ポートとして使用される。本実施形態においてＬＡＮ端子１３１にはＬＡＮケーブルが接続されており、インターネット３と通信可能となっている。
【００２２】
ＵＳＢ（Universal Serial Bus）端子１３３は、ＵＳＢ Ｉ／Ｆ１６６を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部１５６は、ＵＳＢ端子１３３を介して接続される機器との間で、情報の通信（送受信）を行うことができる。
【００２３】
ＨＤＤ１７０はＤＴＶ１に内蔵される磁気記憶媒体であってＤＴＶ１が有する各種情報を記憶する機能を有している。
【００２４】
バッテリ１１５は充電式電池（二次電池）であり、交流（ＡＣ：alternating current）等の外部電力によって充電される。このバッテリ１１５は表示部１２０や制御部１５６を含むＤＴＶ１の全体の電源となる電力を蓄える。なお、バッテリ１１５のスペック（配置、形状、大きさ、取付構造等）は図１の例には限定されず、種々に変更することが可能である。例えば、バッテリ１１５を筺体内に収容せず、筺体の外面に凹部等として形成されたバッテリ収容部に取り付けるとしてもよい。
【００２５】
電源回路１１９はＤＴＶ１に全体に供給する電源を制御する回路である。なお、電源回路１１９は端子１３４を介してコンセント等の外部電力供給源と接続されている。
【００２６】
次に、本実施形態にかかるＤＴＶ１の電源供給について説明を行う。
【００２７】
図２は、本実施形態におけるＤＴＶ１電源供給機能にかかる構成の一例を示したブロック図である。
【００２８】
電源回路１１９は、バッテリ１１５の充電や、充電をするか否かの切り換え、外部電力およびバッテリ１１５の電源の切り換え、主電源のオンオフの切り換え、局所的な電源のオンオフの切り換え等を実行する。本実施形態では、電源回路１１９は、ＡＣ／ＤＣ（direct current）コンバータ１１９Ａや、充電切換部１１９Ｂ、電源切換部１１９Ｃ、電源供給切換部１１９Ｄ等を有する。
【００２９】
ＡＣ／ＤＣコンバータ１１９Ａは、外部電力としてのＡＣをＤＣに変換する。このＡＣ／ＤＣコンバータ１１９Ａは、外部電力によってバッテリ１１５を充電する際には、充電部として機能する。
【００３０】
充電切換部１１９Ｂは、ＡＣ／ＤＣコンバータ１１９Ａとバッテリ１１５との接続および遮断を切り換えて、バッテリ１１５を充電するか否かを切り換える。
【００３１】
電源切換部１１９Ｃは、映像表示装置１の各部の電源として、外部電力およびバッテリ１１５のうちいずれか一方を選択する。具体的には、電源切換部１１９Ｃは、電源供給切換部１１９Ｄ，１１９ｅに、ＡＣ／ＤＣコンバータ１１９Ａおよびバッテリ１１５のうちいずれか一方を、択一的に接続する。
【００３２】
また、電源供給切換部１１９Ｄは、電源切換部１１９Ｃと電源が供給される各部との間の接続および遮断を切り換える。
【００３３】
本実施形態では、充電切換部１１９Ｂにおけるバッテリ１１５を充電するか否かの切り換え、電源切換部１１９Ｃにおける電源の択一的な切り換え（選択）、および電源供給切換部１１９Ｄにおける表示部１２０等への電源の供給および遮断の切り換えは、制御部１５６が電気的に制御することができる。
【００３４】
電源供給切換部１１９Ｄは表示部１２０への電源の供給を局所的に切り換えることが可能であり、制御部１５６等の他の機器には電源を供給しつつ、表示部１２０への電源供給を停止することができる。
【００３５】
また、バッテリ１１５は自身の蓄電量を検出することが可能であり、この蓄電量についての情報を制御部１５６に送信することができる。
【００３６】
制御部１５６は使用している電源に基づいて表示部１２０の表示の状態を制御することできる。また、ＤＴＶ１がバッテリ１１５にて駆動しているとき、バッテリ１１５の蓄電残量に基づいて、表示部１２０の表示状態を制御することができる。
【００３７】
制御部１５６は表示領域制御部１５６Ａを有している。表示領域制御部１５６Ａは、ＤＴＶ１を駆動している電源（外部電源／バッテリ電源）の情報に基づいて、表示部１２０の表示状態を制御する。具体的には、表示部１２０に表示される映像の領域を決定し、映像処理部１５５にこれについての指示を送信する。
【００３８】
映像処理部１５５は、表示制御部１５５Ａ及びＢＬ（Back Light）制御部１５５Ｂを有している。表示制御部１５５Ａは表示領域制御部１５６Ａから受ける指示に基づいて表示する映像に対してスケーリング処理を施し、スケーリング処理を行った後の（又はスケーリングを行わなかった）映像の映像信号を表示部１２０の表示パネル１２０Ａに対して送信する。表示パネル１２０Ａは受信した映像信号を表示することとなる。
【００３９】
また表示制御部１５５Ａは、表示領域制御部１５６Ａから表示パネル１２０Ａに送信する映像信号についての情報をＢＬ処理部１５５Ｂに対して送信する。ＢＬ処理部１５５Ｂは受信した映像の情報に基づいて、表示パネル１２０Ａに表示される映像に適するように、バックライトユニット１２０Ｂが備える複数の光源のそれぞれの光量を制御する。つまり、本実施形態におけるＤＴＶ１はバックライトのローカルディミング技術を採用しており、表示パネル１２０Ａに表示される映像に適した、局所的なバックライトの制御を行っている。
【００４０】
次に、本実施形態におけるＤＴＶ１の実行する処理について説明する。
【００４１】
図３は本実施形態におけるＤＴＶ１の実行する処理の一例を示したフロー図である。
【００４２】
まず、ＤＴＶ１が起動している間、制御部１５６は現在ＤＴＶ１がバッテリ１１６によって駆動しているか否か（バッテリ１１６によって駆動しているか外部電源によって駆動しているか）の判別を行う（ステップＳ３１）。
【００４３】
ステップＳ３１においてバッテリ駆動ではなく、外部電源によって駆動していると判別すると（ステップＳ３１：Ｎｏ）、制御部１５６は表示制御部１５５Ａに対して画面全体で映像を表示するように指示を行い（または、何の指示を行わず）、表示制御部１５５Ａは表示パネル１２０Ａの全体に映像を表示する（ステップＳ３２）。また、表示制御部１５５ＡはＢＬ制御部１５５Ｂに表示する映像の情報を送信し、ＢＬ制御部１５５Ｂはバックライトユニット１２０Ｂ全体について光源の制御を実行する。
【００４４】
ここで、バックライトユニット１２０Ｂについて説明する。バックライトユニット１２０Ｂの概観図は図４のようになっている。本実施形態では表示パネル１２０Ａの背面にバックライトユニット１２０Ｂが設けられており、バックライトユニット１２０Ｂには表示パネル１２０Ａの直下型の複数の光源４１が配置されている。ＢＬ制御部１５５Ｂは、この複数の光源４１のそれぞれの光量を制御する。また、この複数の光源４１の光量は表示制御部１５５Ａから受信する映像の情報に基づいて制御されており、例えばそれぞれの光源４１が照射すべき画素が明るい画素であった場合には、光源４１の光量が大きくなるように制御され、暗い画素であった場合には光量が絞られる（または点灯しない）ように制御される。つまり、光源４１は自身の照射する画素の情報に基づいて光量を制御されている。
【００４５】
図３でのステップＳ３２においてＤＴＶ１が映像を全体に表示する場合には、映像５１が図５（Ａ）のように表示される。図５（Ａ）左図のように映像５１が表示パネル１２０Ａ全体に表示され、このときは図５（Ａ）右図のようにバックライトユニット１２０Ｂは全体（の光源４１）が発光するようになる。
【００４６】
図３のステップＳ３１においてバッテリ１１５によってＤＴＶ１は駆動していると制御部が判別すると（ステップＳ３１：Ｙｅｓ）、制御部１５６の表示領域制御部１５６Ａは表示制御部１５５Ａに対して全体ではなく一部の領域で映像を表示するように指示を行う。表示制御部１５５Ａは、この指示に基づいて映像を表示パネル１２０Ａの一部の領域にて表示する（ステップＳ３３）。このとき、映像を表示する領域については、表示領域制御部１５６Ａが決定して表示制御部１５５Ａに指示を行ってもよいし、領域についての指示を受け取っていない表示制御部１５５Ａが自身の有するレジスタの情報等を用いて決定するとしてもよい。表示制御部１５５Ａはまた、表示パネル１２０Ａに表示する映像の情報をＢＬ制御部１５５Ｂに送信する。ＢＬ制御部１５５Ｂは受信した情報に基づいてバックライトユニット１２０Ｂを制御する。
【００４７】
ステップＳ３３においてＤＴＶ１が映像を全体に表示する場合には、映像５１は図５（Ｂ）のように表示される。本実施形態においては、映像５１は図５（Ｂ）左図のように表示部１２０の中心付近の一部の領域に表示される。この映像５１は例えばＤＴＶ１が受信した映像の解像度が低い場合には、受信した映像にスケーリング処理を施さずにそのまま表示するとしてもよいし、受信した映像に適宜アップコンバート／ダウンコンバート、スケーリング（拡大／縮小）等の処理を実行して作成するもとのとしてもよい。図５（Ｂ）左図において、映像５１が表示されていない領域については黒の画素が配置されており、この黒画素直下の光源４１については点灯されない。図５（Ｂ）左図のように映像５１が表示されている場合には、バックライトユニット１２０Ｂは図５（Ｂ）右図のように一部の領域しか発光していないため、ＤＴＶ１はバックライトユニット１２０Ｂにおける消費電力量を小さいものとすることができる。
【００４８】
図３に戻り、ステップＳ３３の処理の完了後、制御部１５６はバッテリ１１５から受信する残りの蓄電量の情報に基づいて、バッテリ残量が所定量以下となったか否かの判別を行う（ステップＳ３４）。
【００４９】
ステップＳ３４においてバッテリ残量が所定量以下であると判断した場合（ステップＳ３４：Ｙｅｓ）、制御部１５６は映像処理部１５５に対してバックライトの光量を落とすように指示を行う。指示を受けた映像処理部１５５のＢＬ制御部１５５Ｂはバックライトユニット１２０Ｂの光源４１の光量を絞る、または光源４１を消灯させる（ステップＳ３５）。
【００５０】
例えば、災害等による停電が起こった場合にはＤＴＶ１はバッテリ１１５によって駆動することとなる。災害等の状況下では放送の情報は重要度を増し、この場合には短い時間映像と音声の両方を出力しておくよりも、長い時間音声を出力する方がユーザにとって好適となることがある。このため、ＤＴＶ１はバッテリ１１５の充電量が少なくなった場合には、電力消費の大きいバックライトの光量を絞る／消灯させるという制御を行う。
【００５１】
ステップＳ３５の実行後、制御部１５６はリモートコントローラ１１７又は操作部１１６を介してユーザから操作指示を受けたか否かの判別を行う（ステップＳ３６）。
【００５２】
ステップＳ３６においてユーザから操作指示を受けたと判断した場合（ステップＳ３６：Ｙｅｓ）、制御部１５６はこの操作についての音声を、音声処理部１５３を介してスピーカ１１０から出力する。ステップＳ３５において、バックライトユニット１２０Ｂの光源４１の光量が絞られる、または光源４１を消灯している場合には、指示に対するＤＴＶ１の動作がユーザに視認されづらい／できない状態となっているので、ＤＴＶ１は受け付けた操作の情報を音声で出力する。
【００５３】
ステップＳ３４においてバッテリ残量が所定量以下でないと判断した場合（ステップＳ３４：Ｎｏ）、ステップＳ３６においてユーザから操作指示を受けていないと判断した場合（ステップＳ３６：Ｎｏ）、ステップＳ３２の終了後、またはステップＳ３７の処理終了後、処理フローはステップＳ３８へと進み、制御部１５６はユーザから電源ＯＦＦの指示を受けたか否かの判別を行う。
【００５４】
ステップＳ３８においてユーザから電源ＯＦＦの指示を受けないとき（ステップＳ３８：Ｎｏ）、処理フローはステップＳ３１へと戻り、ユーザから電源ＯＦＦの指示を受けたとき（ステップＳ３８：Ｙｅｓ）、ＤＴＶ１は電源ＯＦＦ処理を実行して、一連の処理フローは終了となる。
【００５５】
本実施形態では、バッテリ１１５によって駆動している場合には、ＤＴＶ１は表示パネル１２０Ａ全体での映像表示は行わず、一部領域によって表示を実行するため、省電力を実現することができる。
【００５６】
また、本実施形態においてＤＴＶ１はバッテリ１１５の蓄電残量に基づいて、表示部１２０の表示領域の大きさ（サイズ）を段階的、又は連続的に変更するとしても良い。この場合、表示領域制御部１５６Ａはバッテリ１１５の蓄電残量に基づいて、表示の大きさ（サイズ）を制御する。
【００５７】
具体的な処理としては、まずＤＴＶ１がバッテリ１１５から供給される電源で動作しており、表示部１２０に映像を表示しているとき、制御部１５６は例えば所定の間隔でバッテリ１１５より蓄電残量の情報を受信する。蓄電残量の情報を受信した制御部１５６は表示処理部１５５Ａに対して、バッテリ１１５の蓄電残量に応じた大きさの映像を表示部１２０に表示するように指示を行う。つまり、表示領域制御部１５６Ａはバッテリ１１５の蓄電残量が小さい（少ない）ときには、大きい（多い）場合と比較して表示する映像５１のサイズが小さくなるように表示を制御する。これにより、バッテリ１１５の蓄電残量が小さいときには、映像５１が小さくなり、伴ってバックライトユニット１２０Ｂの発行エリアも小さくなるため、バックライトユニット１２０Ｂによる消費電力が小さくなる。つまり、バッテリ１１５の電源供給可能な時間が延びることとなる。
【００５８】
（実施形態の変形例）
以下では上記実施形態の変形例について説明する。以下において、上記実施形態とほぼ同様である構成については説明を省略する。
【００５９】
本変形例におけるＤＴＶ１は上記実施形態に示されるＤＴＶ１とほぼ同様の構成を有している。上記実施形態と本変形例とは表示部１２０のバックライトユニット１２０Ｂの構成が主に異なっている。
【００６０】
図６は本変形例におけるＤＴＶ１のバックライトユニット１２０Ｂを前面からみたときの構成を示す概観図である。
【００６１】
バックライトユニット１２０Ｂは複数の光源６１と導光板６２とを有している。光源６１は導光板６２の上下の端部付近に設けられており、光源６１より発せられた光は導光板６２の光源６１と対向する面（側面）より入射され、導光板６２に入射された光は導光板６２の前面より射出されることで、導光板６２前面に設けられた表示パネル１２０Ａに対して光を入射することができる。つまり、本変形例におけるバックライトユニット１２０Ｂはエッジライト型のバックライトである。
【００６２】
複数の光源６１のそれぞれが発光した光は、導光板６２に入射し、それぞれの光源６１に近接する、図６中の破線で囲まれた導光板６２の領域からバックライトユニット１２０Ｂ前面に向けて射出されることとなる。
【００６３】
次に、本変形例における一部領域への映像表示を行った場合について説明する。
【００６４】
図７は本変形例において一部領域への映像表示を行った時のＤＴＶ１の表示状態を示す概念図である。
【００６５】
本変形例では一部領域への映像７１の表示を中央付近の領域とは異なる領域に行う。
【００６６】
複数の光源６１にはそれぞれが光らせるべき導光板６２の領域が存在するが、本変形例ではＤＴＶ１は映像の直下となるその領域の個数が少なくなるような位置に映像を表示する。このように構成すると、ＤＴＶ１は発光させるべき光源６１の数をより少なくすることができるため、更に省電力に寄与することができる。
【００６７】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００６８】
１…ＤＴＶ、１００…信号処理部、１１０…スピーカ、１１５…バッテリ、１１６…操作部、１１７…リモートコントローラ、１１８…受光部、１１９…電源回路、１１９Ａ…ＡＣ／ＤＣコンバータ、１１９Ｂ…充電切換部、１１９Ｃ…電源切換部、１１９Ｄ…電源供給切換部、１２０…表示部、１２０Ａ…表示パネル、１２０Ｂ…バックライトユニット、１３１…ＬＡＮ端子、１３３…ＵＳＢ端子、１３４…電源端子、１３７…ライン入力端子、１４３…アンテナ、１４４…入力端子、１４５…チューナ、１４６…ＰＳＫ復調器、１４７…ＴＳ復号器、１４８…アンテナ、１４９…入力端子、１５０…チューナ、１５０ａ…第１のチューナ、１５０ｂ…第２のチューナ、１５１…ＯＦＤＭ復調器、１５２…グラフィック処理部、１５３…音声処理部、１５４…ＯＳＤ信号生成部、１５５…映像処理部、１５５Ａ…表示制御部、１５５Ｂ…ＢＬ制御部、１５６…制御部、１５６Ａ…表示領域制御部、１５７…ＲＯＭ、１５８…ＲＡＭ、１５９…ＣＰＵ、１６０…フラッシュメモリ、１６４…ＬＡＮ  Ｉ／Ｆ、１６６…ＵＳＢ  Ｉ／Ｆ、１６８…アナログチューナ、１６９…アナログ復調器、１７０…ＨＤＤ、４１…光源、５１…映像、６１…光源、６２…導光板、７１…映像。
【図１】
2015038524.tif 000003
【図２】
2015038524.tif 000004
【図３】
2015038524.tif 000005
【図４】
2015038524.tif 000006
【図５】
2015038524.tif 000007
【図６】
2015038524.tif 000008
【図７】
2015038524.tif 000009
【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
バッテリと，
前記バッテリによる動作と，外部電源による動作とを切り換える切換部と，
入力した信号に基づいた映像を表示する表示パネルと，
前記表示パネルに対して発光を行うバックライトと，
前記外部電源によって動作するとき前記表示パネルの全体に前記映像を表示させ，前記バッテリによって動作するとき前記表示パネルの一部の領域に前記映像がスケーリング処理により縮小された映像を表示させる表示制御部と，
前記表示パネルに表示させる前記映像に基づいて，前記表示パネルに前記映像が表示されている領域を照射するように前記バックライトの発光を制御するバックライト制御部と，
を具備する表示装置。
【請求項２】
前記バックライトは，導光板と，前記導光板の両端付近に設けられた一対の光源を有しており，
前記表示制御部は，前記表示パネル上の前記映像を表示させる前記一部の領域の位置を，前記導光板の一端側とし，この一端側の光源のみを発光させる請求項１記載の表示装置。
【請求項３】
前記バックライトは直下型のバックライトである請求項１記載の表示装置。
【請求項４】
前記バッテリの蓄電残量を検知する検知手段を更に具備し，
前記バックライト制御部は，前記バッテリの蓄電残量が所定量以下となるとき，前記バックライトの光量を減少させる請求項１記載の表示装置。
【請求項５】
前記バックライト制御部が前記バックライトの光量を減少させた後，操作指示を受けると，当該指示についての情報を音声にて出力する音声出力手段を更に具備する請求項４記載の表示装置。
【請求項６】
前記バッテリの蓄電残量を検知する検知手段を更に具備し，
前記表示制御部は，前記バッテリの蓄電残量が小さいときに，前記バッテリの蓄電残量が大きいときよりも前記表示パネルに表示させる前記映像を小さくする請求項１記載の表示装置。
【請求項７】
バッテリによる動作と，外部電源による動作とを切り換え，
外部電源によって動作するとき，表示パネルの全体に入力した信号に基づいた映像を表示し，
前記バッテリによって動作するとき前記表示パネルの一部の領域に前記入力した信号に基づいた映像がスケーリング処理により縮小された映像を表示し，
前記表示パネルに表示させる前記映像に基づいて，前記表示パネルに前記映像が表示されている領域を照射するように前記バックライトを発光する表示方法。
【手続補正書】
【提出日】平成24年5月21日(2012.5.21)
【手続補正１】
【補正対象書類名】特許請求の範囲
【補正対象項目名】全文
【補正方法】変更
【補正の内容】
【特許請求の範囲】
【請求項１】
バッテリと，
前記バッテリの蓄電残量を検知する検知手段と，
前記バッテリによる動作と，外部電源による動作とを切り換える切換部と，
入力した信号に基づいた映像を表示する表示パネルと，
前記表示パネルに対して発光を行うバックライトと，
前記外部電源によって動作するとき前記表示パネルの全体に前記映像を表示させ，前記外部電源から前記バッテリに切り換わって動作するとき前記表示パネルの一部の領域に前記映像がスケーリング処理により縮小された映像を表示させる表示制御部と，
前記表示パネルに表示させる前記映像に基づいて，前記表示パネルに前記映像が表示されている領域を照射するように前記バックライトの発光を制御し，かつ前記バッテリの蓄電残量に応じて前記バックライトの発光量を制御する，バックライト制御部と，
を具備する表示装置。
【請求項２】
前記バックライトは，導光板と，前記導光板の両端付近に設けられた一対の光源を有しており，
前記表示制御部は，前記表示パネル上の前記映像を表示させる前記一部の領域の位置を，前記導光板の一端側とし，この一端側の光源のみを発光させる請求項１記載の表示装置。
【請求項３】
前記バックライトは直下型のバックライトである請求項１記載の表示装置。
【請求項４】
前記バックライト制御部は，前記バッテリの蓄電残量が所定量以下となるとき，前記バックライトの光量を減少させる請求項１記載の表示装置。
【請求項５】
前記バックライト制御部が前記バックライトの光量を減少させた後，操作指示を受けると，当該指示についての情報を音声にて出力する音声出力手段を更に具備する請求項４記載の表示装置。
【請求項６】
前記表示制御部は，前記バッテリの蓄電残量が小さいときに，前記バッテリの蓄電残量が大きいときよりも前記表示パネルに表示させる前記映像を小さくする請求項１記載の表示装置。
【請求項７】
バッテリによる動作と，外部電源による動作とを切り換え，
外部電源によって動作するとき，表示パネルの全体に入力した信号に基づいた映像を表示し，
前記外部電源から前記バッテリに切り換わって動作するとき前記表示パネルの一部の領域に前記入力した信号に基づいた映像がスケーリング処理により縮小された映像を表示し，
前記バッテリの蓄電残量を検知し，
前記表示パネルに表示させる前記映像に基づいて，前記表示パネルに前記映像が表示されている領域を照射するようにし，かつ前記バッテリの蓄電残量に応じて，前記バックライトの発光量が変化する表示方法。